(57)【特許請求の範囲】
【請求項１】
機器に配線された信号線と、この信号線に接続された主制御手段と、前記信号線に接続されたセンサと、電源装置とを備え、
前記センサは、検出素子と、自らの識別コードを保有した記憶手段と、前記信号線を介して前記主制御手段とデータの授受を行う送受信手段と、前記検出素子が検出したデータを取り込み、前記送受信手段により前記主制御手段に送信する端末側制御手段と、前記信号線が高電位となっている間に充電を行い、低電位となっている間は放電して各手段の電源を賄う蓄電手段と、前記電源装置から各手段に給電を行うための電源端子とを備え、
前記主制御手段は、前記電源装置から前記センサの電源端子への給電を制御することを特徴とする機器の制御装置。
【請求項２】
機器に配線された信号線と、この信号線に接続された主制御手段と、前記信号線に接続されたスイッチング素子と、電源装置とを備え、
前記スイッチング素子は、スイッチング手段と、自らの識別コードを保有した記憶手段と、前記信号線を介して主制御手段とデータの授受を行う送受信手段と、この送受信手段からのデータに基づき前記スイッチング手段を制御する端末側制御手段と、前記信号線が高電位となっている間に充電を行い、低電位となっている間は放電して各手段の電源を賄う蓄電手段と、前記電源装置から各手段に給電を行うための電源端子とを備え、
前記主制御手段は、前記電源装置から前記スイッチング素子の電源端子への給電を制御することを特徴とする機器の制御装置。
【請求項３】
電源装置からセンサ又はスイッチング素子への給電経路を接地するスイッチング素子を備え、主制御手段は、このスイッチング素子の動作を制御することを特徴とする請求項１又は請求項２の機器の制御装置。
【発明の詳細な説明】
【０００１】
【発明の属する技術分野】
本発明は、例えば業務用・家庭用冷蔵庫、低温ショーケース、プレハブ冷蔵庫、空気調和機、自動販売機などに代表される機器の制御装置に関するものである。
【０００２】
【従来の技術】
従来よりこの種冷蔵庫や低温ショーケースにおいては、冷却装置を構成するコンプレッサ、凝縮器、冷却器などを内蔵し、或いは、コンプレッサ、凝縮器は別置きとし、このコンプレッサから吐出された冷媒を凝縮器にて凝縮し、減圧装置にて減圧した後、冷却器に供給して冷却効果を発揮させ、この冷却器にて冷却された冷気を冷却用ファンにて庫内に循環して所定の低温度に冷却している。
【０００３】
また、コンプレッサや凝縮器周辺には凝縮器用ファンが設置され、この凝縮器用ファンにて凝縮器やコンプレッサを空冷する構成とされている。
【０００４】
【発明が解決しようとする課題】
このような冷蔵庫などでは庫内温度の制御、或いは、コンプレッサや凝縮器の保護などの各種用途に応じた温度センサーが取り付けられ、それらの数は機種によって異なる。また、ファンの数や結露防止用の防露ヒータなどの数も機種によって異なって来るため、それらを制御するスイッチを含む電気系の配線やこれらを制御する制御装置の構成も機種毎に異なってくる。
【０００５】
そのため、特に他機種少量生産される業務用の機器などにおいては、生産性が著しく低下しており、改善が望まれていた。
【０００６】
本発明は、係る従来の技術的課題を解決するために成されたものであり、部品の共通化と配線の簡素化による著しい生産性の向上とコストの削減を図ると共に、制御性と使用性の向上も図った機器の制御装置を提供するものである。
【０００７】
【課題を解決するための手段】
請求項１の発明の機器の制御装置は、機器に配線された信号線と、この信号線に接続された主制御手段と、信号線に接続されたセンサと、電源装置とを備えており、センサは、検出素子と、自らの識別コードを保有した記憶手段と、信号線を介して主制御手段とデータの授受を行う送受信手段と、検出素子が検出したデータを取り込み、送受信手段により主制御手段に送信する端末側制御手段と、信号線が高電位となっている間に充電を行い、低電位となっている間は放電して各手段の電源を賄う蓄電手段と、電源装置から各手段に給電を行うための電源端子とを備え、主制御手段は、電源装置からセンサの電源端子への給電を制御することを特徴とする。
【０００８】
請求項２の発明の機器の制御装置は、機器に配線された信号線と、この信号線に接続された主制御手段と、信号線に接続されたスイッチング素子と、電源装置とを備えており、スイッチング素子は、スイッチング手段と、自らの識別コードを保有した記憶手段と、信号線を介して主制御手段とデータの授受を行う送受信手段と、この送受信手段からのデータに基づきスイッチング手段を制御する端末側制御手段と、信号線が高電位となっている間に充電を行い、低電位となっている間は放電して各手段の電源を賄う蓄電手段と、電源装置から各手段に給電を行うための電源端子とを備え、主制御手段は、電源装置からスイッチング素子の電源端子への給電を制御することを特徴とする。
【０００９】
請求項３の発明の機器の制御装置は、上記に加えて電源装置からセンサ又はスイッチング素子への給電経路を接地するスイッチング素子を備え、主制御手段は、このスイッチング素子の動作を制御することを特徴とする。
【００１０】
本発明によれば、センサの端末側制御手段は、検出素子が検出したデータを送受信手段により信号線を介して主制御手段に送信するので、主制御手段は支障無く検出データを取り込むことができる。また、スイッチング素子の端末側制御手段は、信号線を介して送受信手段により受信した主制御手段からのデータに基づきスイッチング手段を制御するので、主制御手段は支障無く機器の制御を実行することができる。この場合、センサやスイッチング素子は記憶手段に自らの識別コードを保有しているので、信号線にセンサやスイッチング素子を接続することにより主制御手段はセンサ或いはスイッチング素子を識別できるようになり、センサやスイッチング素子の配線は完了する。
【００１１】
これにより、所謂プラグインによってセンサやスイッチング素子を配線することが可能となり、著しい配線の簡素化を図ることが可能となる。また、センサやスイッチング素子の数などに係わらず主制御手段には共通のソフトウエアを使用できるので、主制御手段の共通化によるコストの著しい削減を図ることも可能となる。
【００１２】
また、センサやスイッチング素子は信号線が高電位となっている間に充電を行い、低電位となっている間は放電して各手段の電源を賄う蓄電手段を備えているので、センサやスイッチング素子はデータの授受を行うための信号線からの電力によって動作することができる。従って、センサやスイッチング素子の動作用の消費電力を削減することが可能となる。
【００１３】
更に、センサやスイッチング素子は電源装置から各手段に給電を行うための電源端子とを備えており、主制御手段は、電源装置からスイッチング素子の電源端子への給電を制御するので、迅速を要する検査時や警報時などには、主制御手段により、電源装置からセンサやスイッチング素子の電源端子に給電を行うことにより、センサやスイッチング素子の応答速度を迅速化することができるようになる。
【００１４】
これにより、通常は蓄電手段からの給電によって動作させ、消費電力を低減させつつ、迅速を要する状況では電源装置からセンサやスイッチング素子に給電を行うことが可能となり、制御性と使用性が著しく改善される。
【００１５】
また、主制御手段により電源装置からセンサ又はスイッチング素子への給電経路をスイッチング素子で接地できるようにすれば、電源装置の給電／停止によるノイズなどで障害が発生することを防止し、当該障害が発生した場合のリセットも行うことが可能となる。
【００１６】
【発明の実施の形態】
以下、図面に基づき本発明の実施形態を詳述する。図１は本発明を適用する機器の実施例としての業務用の冷蔵庫１の概略断面図、図２は冷蔵庫１の電気系の配線図を示している。図１において、冷蔵庫１は前面に開口する断熱箱体２により本体５を構成されており、この断熱箱体２内に貯蔵室３が構成されている。この貯蔵室３の前面開口は扉４により開閉自在に閉塞されている。また、貯蔵室３内には冷却装置の冷凍サイクルを構成する冷却器６とモータにて駆動される庫内ファン７が設置されている。
【００１７】
また、冷却器６には霜取り用のデフロスタ（電気ヒータ）３０（図２）が取り付けられており、更に、断熱箱体２の開口縁には結露防止用の防露ヒータ８が配設されると共に、扉４の前面には主制御手段としてのコントロールボックス９の操作パネル１１が取り付けられている。
【００１８】
一方、断熱箱体２の下側には機械室１２が形成されており、この機械室１２内には前記冷却器６と共に冷却装置の冷凍サイクルを構成するコンプレッサ１３、凝縮器１４、凝縮器用ファン１６などが設置されている。
【００１９】
前記コンプレッサ１３が運転されると、コンプレッサ１３から吐出された高温高圧の冷媒は凝縮器１４にて放熱して凝縮し、図示しない減圧装置にて減圧された後、冷却器６に供給される。冷却器６ではこの冷媒が蒸発することにより冷却作用を発揮し、その後低温のガス冷媒はコンプレッサ１３に再び帰還する。庫内ファン７が運転されると、冷却器６で冷却された冷気は貯蔵室３内に循環され、これによって、貯蔵室３内は冷却される。
【００２０】
また、凝縮器用ファン１６が運転されると、外気を凝縮器１４、コンプレッサ１３に通風するので、これらは空冷される。更に、デフロスタ３０には所定時間毎に、或いは、所定時刻に通電される。デフロスタ３０に通電が成されると発熱して冷却器６を加熱することにより、霜取りが行われる。更にまた、防露ヒータ８に通電されると断熱箱体２の開口縁が加熱され、結露が防止されるものである。
【００２１】
次に、図２において２１は冷蔵庫１の本体５内に配線されたＡＣ電源線であり、２２及び２４はデータの授受を行うための信号線である。ＡＣ電源線２１はコンプレッサ１３、前記各ファン７、１６及び前記デフロスタ３０、防露ヒータ８の駆動基板２６に接続されると共に、信号線２２、２４は前記コントロールボックス９に接続されて本体５内に配線されている。
【００２２】
この信号線２２には貯蔵室３内の温度を検出するセンサとしてのチップ状の庫内温度センサ２７と、冷却器６の温度を検出するセンサとしてのチップ状の霜取りセンサ１０と、凝縮器１４の温度を検出するセンサとしてのチップ状の高温センサ２０と、前記駆動基板２６に複数取り付けられたチップ状のスイッチング素子２８・・がそれぞれコネクタを介して接続される。
【００２３】
更に、駆動基板２６には更に整流回路から成る電源装置としての直流電源２３が取り付けられ、信号線２４に接続されている。この直流電源２３はＡＣ電源線２１から供給される商用交流電源より直流Ｖｃｃ電源（例えばＤＣ＋５Ｖ）を生成するもので、その出力端子はＤＣ電源線３９（図３に示す給電経路）を介して後述する如く庫内温度センサ２７、霜取センサ１０、高温センサ２０、各スイッチ素子２８・・・、スイッチングユニット６８のＶｃｃ電源端子４５、５５、６０に接続される。また、直流電源２３も後述する如き識別コードやコントローラ３６との間の通信機能を有しているものとする。
【００２４】
尚、駆動基板２６にはスイッチング素子２８がコンプレッサ１３や各ファン７、１６、デフロスタ３０、防露ヒータ８に対してそれぞれ設けられている。また、４２はコントロールボックス９の直流電源である。
【００２５】
次に、このコントロールボックス９の構成を図３に示す。コントロールボックス９にはコントローラ（基板）３６が設けられている。このコントローラ３６は、ＣＰＵ（マイクロコンピュータ）３１、記憶手段としてのメモリ３２、Ｉ／Ｏインターフェース３３及び送受信手段としてのバスＩ／Ｏインターフェース３４などから構成されている。また、コントロールボックス９には液晶表示パネルから構成された表示器３７と、入力手段（キーボード、マウスなど）としてのスイッチ３８などが設けられており、前記表示器３７とスイッチ３８はＩ／Ｏインターフェース３３に接続されて前記操作パネル１１に配設されている。
【００２６】
また、前記バスＩ／Ｏインターフェース３４は信号線２２及び２４に接続され、信号線２２を介して前記温度センサ２７やスイッチング素子２８・・・とデータの授受を行うと共に、信号線２４を介して直流電源２３及びスイッチング素子２５とデータの授受を行う。
【００２７】
尚、コントローラ３６には前記庫内温度センサ２７、霜取りセンサ１０、高温センサ２０やスイッチング素子２８、２５や直流電源２３とデータ通信を行うための所定の通信プロトコルや後述する各センサ２７、１０、２０やスイッチング素子２８、２５、直流電源２３をサーチして識別するためのソフトウエアなどが設定されているものとする。
【００２８】
次ぎに、前記庫内温度センサ２７、霜取りセンサ１０、高温センサ２０の構成を図４に示す。尚、各センサ２７、１０、２０は同一の構成であるので以下は庫内温度センサ２７について述べる。庫内温度センサ２７は、端末側制御手段としてのＣＰＵ４３と、記憶手段としてのメモリ４４と、送受信手段としてのＩ／Ｏインターフェース４６と、Ａ／Ｄ変換器４７と、このＡ／Ｄ変換器４７に接続された検出素子としてのセンサ部４８と、蓄電手段としてのコンデンサ４９と、整流素子としてのダイオード５１などから構成されている。
【００２９】
この場合、コンデンサ４９はダイオード５１の出力側に接続され、このダイオード５１とコンデンサ４９との接続点に各素子が接続されている。また、Ｉ／Ｏインターフェース４６とダイオード５１の入力側が信号線２２に接続される。そして、信号線２２には例えば＋５Ｖの電位（高電位）が印加されており、データはこの高電位から例えば０Ｖの低電位に下がるパルスにて構成される。
【００３０】
また、庫内温度センサ２７には前記Ｖｃｃ（ＤＣ＋５Ｖ）電源端子４５が設けられ、ダイオード５１とコンデンサ４９との接続点に接続されており、Ｖｃｃ電源端子４５はＤＣ電源線３９に接続される。これによって、各素子はＤＣ電源線３９を介した直流電源２３からの給電によって動作可能とされている。
【００３１】
尚、Ｖｃｃ電源端子４５にＤＣ電源線３９を介して直流電源２３から給電を受けなくとも、庫内温度センサ２７が信号線２２に接続されれば、データを構成する高電位と低電位のパルス信号が高電位となっている間はそのまま各素子に給電が成され、コンデンサ４９にも充電される。そして、低電位となっている間はコンデンサ４９から放電されるので、信号線２２にパルス信号がある限り、各素子の電源が賄われることになる。但し、コンデンサ４９への充電時間が必要となることから、直流電源２３から給電される場合に比べて動作時間は延びることになる。
【００３２】
また、ＣＰＵ４３はセンサ部４８が検出する温度データをＡ／Ｄ変換器４７を介して取り込み、一旦メモり４４に書き込む。そして、Ｉ／Ｏインターフェース４６により、信号線２２を介してコントローラ３６からポーリングされると、メモリ４４に書き込まれた温度データをＩ／Ｏインターフェース４６により信号線２２を介してコントローラ３６に送信する。
【００３３】
ここで、メモリ４４には庫内温度センサ２７自体の識別コードやセンサである旨の識別データ、低温・高温警報温度などの設定値データ及びコントローラ３６との間のデータ通信を行うためのプロトコルなどが記憶されている。また、庫内温度センサ２７において故障が生じている場合には当該故障データもメモリ４４に書き込まれ、コントローラ３６に送信される。
【００３４】
一方、前記スイッチング素子２８の構成を図５に示す。尚、図３に示したスイッチング素子２５の構成も同様であるので説明は省略する。スイッチング素子２８は、端末側制御手段としてのＣＰＵ５８と、記憶手段としてのメモリ５９と、送受信手段としてのＩ／Ｏインターフェース６１と、ドライバとしてのＩ／Ｏインターフェース６２と、このＩ／Ｏインターフェース６２に接続されたスイッチング手段としてのトランジスタ６３と、蓄電手段としてのコンデンサ６４と、整流素子としてのダイオード６６などから構成されている。
【００３５】
この場合、コンデンサ６４はダイオード６６の出力側に接続され、このダイオード６６とコンデンサ６４との接続点に各素子が接続されている。Ｉ／Ｏインターフェース６１とダイオード６６の入力側が信号線２２に接続される。また、スイッチング素子２８にはＶｃｃ（ＤＣ＋５Ｖ）電源端子５５が設けられ、ダイオード６６とコンデンサ６４との接続点に接続されており、Ｖｃｃ電源端子５５はＤＣ電源線３９に接続される。これによって、各素子はＤＣ電源線３９を介した直流電源２３からの給電によって動作可能とされている。
【００３６】
尚、Ｖｃｃ電源端子５５がＤＣ電源線３９に接続されなくとも、スイッチング素子２８が信号線２２に接続されれば、データを構成する高電位と低電位のパルス信号が高電位となっている間はそのまま各素子に給電が成され、コンデンサ６４にも充電される。そして、低電位となっている間はコンデンサ６４から放電されるので、信号線２２にパルス信号がある限り、各素子の電源が賄われることになる。但し、この場合もコンデンサ６４への充電時間が必要となることから直流電源２３から給電される場合に比べて動作時間は延びることになる。
【００３７】
また、ＣＰＵ５８はＩ／Ｏインターフェース６１により、信号線２２を介してコントローラ３６からＯＮ／ＯＦＦデータが送信されると、このＯＮ／ＯＦＦデータに基づき、Ｉ／Ｏインターフェース６２によりトランジスタ６３をＯＮ／ＯＦＦする。また、ＣＰＵ５８はコントローラ３６からＯＮ／ＯＦＦデータが送信されない場合には、現在の運転状態（ＯＮ若しくはＯＦＦ）を自己保持するものである。
【００３８】
ここで、メモリ５９にはスイッチング素子２８や２５自体の識別コードやスイッチング素子である旨の識別データ及びコントローラ３６との間のデータ通信を行うためのプロトコルなどが記憶されている。また、スイッチング素子２８において故障が生じている場合には当該データもメモリ５９に書き込まれ、コントローラ３６に送信される。
【００３９】
ここで、上記各スイッチング素子２８は駆動基板２６上において図６の如く配線されてスイッチングユニット６８を構成する。即ち、６９はフォトダイオード６９Ａとフォトトライアック６９Ｂから成るフォトカプラであり、７１は抵抗、７２は整流素子としてのダイオード、７４は蓄電手段としてのコンデンサである。
【００４０】
この場合、コンデンサ７４はダイオード７２の出力側に接続され、このダイオード７２とコンデンサ７４との接続点とスイッチング素子２８のトランジスタ６３のコレクタ端子（図５にＳ２で示す）間に抵抗７１とフォトダイオード６９Ａが直列に接続される。また、スイッチング素子２８の端子Ｓ１（図５）はダイオード７２の手前に接続される。そして、フォトトライアック６９ＢはAC電源線２１とコンプレッサ１３、ファン７、１５、デフロスタ３０、防露ヒータ８間にそれぞれ介設される。
【００４１】
また、ダイオード７２とコンデンサ７４の接続点にはＶｃｃ電源端子６０が接続されており、このＶｃｃ電源端子６０はＤＣ電源線３９に接続される。これにより、フォトダイオード６９ＡはＤＣ電源線３９を介した直流電源２３からの給電によって動作する。
【００４２】
尚、ダイオード７２が信号線２２に接続されると、データを構成する高電位と低電位のパルス信号が高電位となっている間はそのまま抵抗７１を介してフォトダイオード６９Ａに給電が成され、コンデンサ７４にも充電される。そして、低電位となっている間はコンデンサ７４から放電されて、フォトダイオード６９Ａの電源を賄う構成とされている。従って、Ｖｃｃ電源端子６０がＤＣ電源線３９に接続されなくとも、信号線２２にパルス信号がある限り、スイッチングユニット６８は動作する構成とされているが、この場合も直流電源２３から給電される場合に比べれば、動作時間は延びることになる。
【００４３】
一方、前記スイッチング素子２５のＩ／Ｏインターフェース６１は信号線２４に接続されると共に、トランジスタ６３のコレクタ端子（図５にＳ２で示す）はＤＣ電源線３９に接続され、トランジスタ６３のエミッタは接地（ＧＮＤ）されている。
【００４４】
以上の構成で、動作を説明する。先ず、最初に冷蔵庫１の生産時の動作を説明する。各センサ２７、１０、２０やスイッチング素子２８・・が信号線２２に接続され、直流電源２３、スイッチング素子２５が信号線２４に接続されたものとすると、コントローラ３６（のＣＰＵ３１）は先ず信号線２２、２４への各素子（センサ２７、１０、２０、スイッチング素子２８・・、２５、直流電源２３）の接続状況をサーチする。
【００４５】
この場合、コントローラ３６は全てのセンサ２７、１０、２０、スイッチング素子２８・・、２５、直流電源２３にＩＤ要求を行い、これに応えて全てのセンサ２７、１０、２０、スイッチング素子２８・・、２５、直流電源２３は自らの識別コードなどをコントローラ３６に返答する。
【００４６】
コントローラ３６は返答された識別コードなどに基づき、信号線２２に庫内温度センサ２７、霜取りセンサ１０及び高温センサ２０の各センサが接続され、コンプレッサ１３用のスイッチング素子２８、デフロスタ３０用のスイッチング素子２８、庫内ファン７用のスイッチング素子２８、防露ヒータ８用のスイッチング素子２８（実際には凝縮器用ファンもある）の各スイッチング素子が接続されていることを認識する。また、信号線２４には直流電源２３とスイッチング素子２５が接続されていることを認識する。
【００４７】
コントローラ３６は認識された温度センサ２７、１０、２０とスイッチング素子２８・・、２５、直流電源２３の接続状況をメモリ３２に保有すると共に、以後は識別コードを用いて各素子に対してデータを送信することになる。
【００４８】
次ぎに、冷蔵庫１の据え付け後の実際の制御動作を説明する。コントローラ３６のＣＰＵ３１は前述の如く各センサ２７、１０、２０に所定の周期でポーリングを行う。このポーリングは前述の識別コードに基づいて行われる。センサ２７、１０、２０のＣＰＵ４３はこのポーリングに応えて前述の如く温度データをコントローラ３６に送信する。コントローラ３６のＣＰＵ３１は受け取った温度データを一旦メモり３２に書き込み、このうちの庫内温度センサ２７からの温度データと予め設定された設定温度とを比較してＯＮ／ＯＦＦデータを、コンプレッサ１３のスイッチング素子２８の識別コードと共に信号線２２に送信する。
【００４９】
スイッチング素子２８のＣＰＵ５８は自らの識別コードのＯＮ／ＯＦＦデータを受信すると、それに基づいて前述の如くトランジスタ６３をＯＮ／ＯＦＦする。このトランジスタ６３のＯＮ／ＯＦＦにより、フォトダイオード６９ＡがＯＮ（発光）／ＯＦＦ（消灯）し、それによって、フォトトライアック６９ＢがＯＮ／ＯＦＦされ、これによって、コンプレッサ１３が起動／停止される。
【００５０】
また、コントローラ３６のＣＰＵ３１は、ＯＮ／ＯＦＦデータをデフロスタ３０のスイッチング素子２８の識別コードと共に信号線２２に送信し、所定の周期で、或いは、所定の時刻にデフロスタ３０に通電して冷却器６の霜取りを行う。そして、前述の如く受け取った霜取りセンサ１０からの温度データに基づき、冷却器６の霜取り制御（所定温度で終了）を実行する。
【００５１】
尚、各ファン７、１６及び防露ヒータ８は連続通電であるので、その旨のＯＮ／ＯＦＦデータが、各スイッチング素子２８の識別コードに基づいて送信される。そして、各スイッチング素子２８は当該ＯＮ／ＯＦＦデータに基づいて各ファン７、１６若しくは防露ヒータ８を運転若しくは通電する。
【００５２】
また、コントローラ３６は信号線２４を介して直流電源２３にＯＮ／ＯＦＦデータを送信し、常には直流電源２３の動作を停止させている。また、コントローラ３６は信号線２４を介してスイッチング素子２５にＯＮ／ＯＦＦデータを送信し、スイッチング素子２５のトランジスタ６３をＯＦＦする。尚、この際の通信も各素子の識別コードによって行われる。
【００５３】
これにより、常には各センサ２７、１０、２０やスイッチング素子２８のＤＣ電源端子４５、５５、６０には給電は成されず、従って、各素子はコンデンサ４６、６４、７４からの放電によって給電が賄われ、動作している。
【００５４】
ここで、生産時の検査工程や設置後のメンテナンスを行う際、或いは、前述の如き故障データが各センサ２７、１０、２０やスイッチング素子２８から送信された際には、コントローラ３６は信号線２４を介して直流電源２３にＯＮ／ＯＦＦデータを送信し、直流電源２３を動作させる。また、コントローラ３６は信号線２４を介してスイッチング素子２５にＯＮ／ＯＦＦデータを送信し、スイッチング素子２５のトランジスタ６３をＯＦＦする。尚、この際の通信も各素子の識別コードによって行われる。
【００５５】
これにより、各センサ２７、１０、２０やスイッチング素子２８にはＤＣ電源端子４５、５５、６０から給電が成され、各素子は動作するので、前述の如く各素子の動作速度は速くなる。従って、センサやスイッチング素子の検査時が迅速に行えるようになる。
【００５６】
そして、係る検査やメンテナンスが終了した場合には、コントローラ３６は再び直流電源２３の動作を停止し、且つ、スイッチング素子２５のトランジスタ６３をＯＮして再びＯＦＦする。これによって、各センサ２７、１０、２０、スイッチング素子２８への電源供給の入り／切りに伴い、ノイズが各素子に侵入しようとしても、ＤＣ電源線３９はスイッチング素子２５により接地されるので、係るノイズの侵入は防止されると共に、直流電源２３から各センサやスイッチング素子への給電経路はリセットされることになる。
【００５７】
尚、実施例では温度を検出するセンサを取り上げたが、センサ部として湿度或いは圧力などを検出する素子を用いることにより、湿度センサや圧力センサとしても本発明は有効である。
【００５８】
また、実施例では業務用冷蔵庫にて本発明を説明したが、それに限らず、家庭用冷蔵庫や低温ショーケース、プレハブ冷蔵庫、自動販売機などの各種電気機器、或いは、自動車、家屋におけるホームオートメーション・警備システムなどにも本発明は有効である。
【００５９】
【発明の効果】
以上詳述した如く本発明によれば、センサの端末側制御手段は、検出素子が検出したデータを送受信手段により信号線を介して主制御手段に送信するので、主制御手段は支障無く検出データを取り込むことができる。また、スイッチング素子の端末側制御手段は、信号線を介して送受信手段により受信した主制御手段からのデータに基づきスイッチング手段を制御するので、主制御手段は支障無く機器の制御を実行することができる。この場合、センサやスイッチング素子は記憶手段に自らの識別コードを保有しているので、信号線にセンサやスイッチング素子を接続することにより主制御手段はセンサ或いはスイッチング素子を識別できるようになり、センサやスイッチング素子の配線は完了する。
【００６０】
これにより、所謂プラグインによってセンサやスイッチング素子を配線することが可能となり、著しい配線の簡素化を図ることが可能となる。また、センサやスイッチング素子の数などに係わらず主制御手段には共通のソフトウエアを使用できるので、主制御手段の共通化によるコストの著しい削減を図ることも可能となる。
【００６１】
また、センサやスイッチング素子は信号線が高電位となっている間に充電を行い、低電位となっている間は放電して各手段の電源を賄う蓄電手段を備えているので、センサやスイッチング素子はデータの授受を行うための信号線からの電力によって動作することができる。従って、センサやスイッチング素子の動作用の消費電力を削減することが可能となる。
【００６２】
更に、センサやスイッチング素子は電源装置から各手段に給電を行うための電源端子とを備えており、主制御手段は、電源装置からスイッチング素子の電源端子への給電を制御するので、迅速を要する検査時や警報時などには、主制御手段により、電源装置からセンサやスイッチング素子の電源端子に給電を行うことにより、センサやスイッチング素子の応答速度を迅速化することができるようになる。
【００６３】
これにより、通常は蓄電手段からの給電によって動作させ、消費電力を低減させつつ、迅速を要する状況では電源装置からセンサやスイッチング素子に給電を行うことが可能となり、制御性と使用性が著しく改善される。
【００６４】
また、主制御手段により電源装置からセンサ又はスイッチング素子への給電経路をスイッチング素子で接地できるようにすれば、電源装置の給電／停止によるノイズなどで障害が発生することを防止し、当該障害が発生した場合のリセットも行うことが可能となる。
【図面の簡単な説明】
【図１】  本発明の実施例の業務用冷蔵庫の概略断面図である。
【図２】  図１の冷蔵庫の電気系の配線図である。
【図３】  コントロールボックス周辺の電気回路のブロック図である。
【図４】  温度センサの電気回路のブロック図である。
【図５】  スイッチング素子の電気回路のブロック図である。
【図６】  スイッチング素子を用いたスイッチングユニットの電気回路図である。
【符号の説明】
１  冷蔵庫
６  冷却器
７  庫内ファン
８  防露ヒータ
９  コントロールボックス
１０  霜取りセンサ
１３  コンプレッサ
１４  凝縮器
１６  凝縮器用ファン
２０  高温センサ
２２、２４  信号線
２３  直流電源
２５、２８  スイッチング素子
２７  庫内温度センサ
３０  デフロスタ
３１、４３、５８  ＣＰＵ
３２、４４、５９  メモリ
３７  表示器
３９  ＤＣ電源線
４５、５５、６０  Ｖｃｃ電源端子
４６、６１  Ｉ／Ｏインターフェース
４８  センサ部
４９、６４  コンデンサ
５１、６６  ダイオード
６３  トランジスタ
６９  フォトカプラ
６９Ａ  フォトダイオード
６９Ｂ  フォトトライアック
【図１】
0004086427.tif 000002
【図２】
0004086427.tif 000003
【図３】
0004086427.tif 000004
【図４】
0004086427.tif 000005
【図５】
0004086427.tif 000006
【図６】
0004086427.tif 000007